(57)【要約】【課題】  負荷装置の起動時にスラッシュ電流が発生する場合であっても外部から供給される電力を浪費しないこと。【解決手段】  電力供給装置は、入力端子１１と、出力端子１３と、入力端子１１に接続される電力を二次電池１７に充電する充電回路１５と、二次電池１７の出力電圧が所定の電圧になると、入力端子１１と出力端子１３とを接続する第１切換回路２１と、外部から供給される電力の電圧がしきい値以下の場合、二次電池１７を入力端子と接続する第２切換回路２５と、二次電池１７の出力電圧が所定の電圧となってからの時間を計時するモノマルチ回路２３と、二次電池１７の出力電圧が所定の電圧となってから所定の期間はしきい値を第１の値に設定し、所定の期間が計時された後はしきい値を第１の値よりも大きい第２の値に設定するスイッチＳＷ３と、を備える。【選択図】        図２
2010068698.tif 000002
【特許請求の範囲】
【請求項１】
電力を蓄電する蓄電手段と、
外部から供給される電力を受け付ける電力受付端子と、
負荷装置の電力入力端子と接続される出力端子と、
前記電力受付端子に接続され、前記受け付けられた電力を前記蓄電手段に充電する充電手段と、
前記充電手段により充電される前記蓄電手段の出力電圧が所定の電圧になると、前記電力受付端子と前記出力端子とを電気的に接続する第１切換手段と、
前記外部から供給される電力の電圧がしきい値以下の場合、前記蓄電手段を前記電力受付端子と電気的に接続する第２切換手段と、
前記充電手段により充電される前記蓄電手段の出力電圧が所定の電圧となってからの時間を計時する計時手段と、
前記蓄電手段の出力電圧が所定の電圧となってから前記計時手段により所定の期間が計時されるまでは、前記しきい値を第１の値に設定し、前記計時手段により前記所定の期間が計時された後は、前記しきい値を前記第１の値よりも大きい第２の値に設定するしきい値切換手段と、を備えた電力供給装置。
【請求項２】
電力を蓄電する蓄電手段と、
外部から供給される電力を受け付ける電力受付端子と、
負荷装置の電力入力端子と接続される出力端子と、
前記電力受付端子に接続され、前記受け付けられた電力を前記蓄電手段に充電する充電手段と、を備えた電力供給装置で実行される電力供給方法であって、
前記充電手段により充電される前記蓄電手段の出力電圧が所定の電圧になると、前記電力受付端子と前記出力端子とを電気的に接続するステップと、
前記充電手段により充電される前記蓄電手段の出力電圧が所定の電圧となってからの時間を計時するステップと、
前記計時された時間が所定の期間になるまでは、前記外部から供給される電力の電圧が第１のしきい値以下の場合、前記蓄電手段を前記電力受付端子と電気的に接続するステップと、
前記計時された時間が所定の期間になった後は、前記外部から供給される電力の電圧が前記第１のしきい値より大きい第２しきい値以下の場合、前記蓄電手段を前記電力受付端子と電気的に接続するステップと、を含む電力供給方法。
【発明の詳細な説明】
【技術分野】
【０００１】
この発明は、電力供給装置および電力供給方法に関し、特に２つの機器の間に接続され、一方の機器から他方の機器に電力を供給する電力供給装置およびその電力供給装置で実行される電力供給方法に関する。
【背景技術】
【０００２】
近年、ＰＯＥ（Ｐｏｗｅｒ  Ｏｖｅｒ  Ｅｔｈｅｒｎｅｔ（登録商標））技術が知られており、ＬＡＮケーブルに接続された機器は、ＬＡＮケーブルから電力の供給を受けて駆動することが可能であるが、ＬＡＮケーブルに過大な電流が流れるのを防止するために消費する電力が制限される。
【０００３】
一方、機器間でシリアル通信するために２つの装置を接続するケーブルは、電力を供給するためのケーブルを含んでいるものがある。特開２００７−９５４１７号公報には、ＵＳＢプラグおよびＵＳＢレセプタクルが外装体に設けられ、上記ＵＳＢプラグと充電制御回路を介して接続された二次電池と、上記二次電池と放電制御回路を介して接続された上記ＵＳＢレセプタクルとを備えたことを特徴とするバッテリーパックが記載されている。
【０００４】
しかしながら、ＬＡＮケーブルから電力の供給を受けて駆動する機器に、従来のバッテリーパックを介して周辺機器を接続する場合、周辺機器が起動する際に大きな起動電力が必要となりラッシュ電流が発生する。このため、ＬＡＮケーブルにもラッシュ電流が流れてしまうといった問題がある。
【特許文献１】特開２００７−９５４１７号公報
【発明の開示】
【発明が解決しようとする課題】
【０００５】
この発明は上述した問題点を解決するためになされたもので、この発明の目的の１つは、負荷装置の起動時にラッシュ電流が発生する場合であっても外部から供給される電力を浪費することのない電力供給装置を提供することである。
【０００６】
この発明の他の目的は、負荷装置の起動時にラッシュ電流が発生する場合であっても外部から供給される電力を浪費することのない電力供給装置を提供することである。
【課題を解決するための手段】
【０００７】
上述した目的を達成するために、この発明のある局面によれば、電力供給装置は、電力を蓄電する蓄電手段と、外部から供給される電力を受け付ける電力受付端子と、負荷装置の電力入力と端子と接続される出力端子と、電力受付端子に接続され、受け付けられた電力を蓄電手段に充電する充電手段と、充電手段により充電される蓄電手段の出力電圧が所定の電圧になると、電力受付端子と出力端子とを電気的に接続する第１切換手段と、外部から供給される電力の電圧がしきい値以下の場合、蓄電手段を電力受付端子と電気的に接続する第２切換手段と、充電手段により充電される蓄電手段の出力電圧が所定の電圧となってからの時間を計時する計時手段と、蓄電手段の出力電圧が所定の電圧となってから計時手段により所定の期間が計時されるまでは、しきい値を第１の値に設定し、計時手段により所定の期間が計時された後は、しきい値を第１の値よりも大きい第２の値に設定するしきい値切換手段と、を備える。
【０００８】
この局面に従えば、蓄電手段の出力電圧が所定の電圧になると、電力受付端子と出力端子とが電気的に接続されるので、外部から入力される電力が負荷装置に供給される。また、外部から供給される電力の電圧がしきい値以下の場合、蓄電手段が電力受付端子と電気的に接続されるので、外部から電力が供給されない場合であっても蓄電手段から負荷装置に電力が供給されるので、その間負荷装置を駆動させることができる。また、蓄電手段の出力電圧が所定の電圧となってから所定の期間が計時されるまでは、しきい値が第１の値に設定され、所定の期間が計時された後は、しきい値が第１の値よりも大きい第２の値に設定される。このため、負荷装置が起動する際にラッシュ電流が流れている間に限って、蓄電手段から電力が供給されるようにすることができ、負荷装置が起動する際に外部から入力される電力の電圧が少なくとも第１の値よりも下がらないようにすることができる。さらに、所定の期間が計時された後は、しきい値が第１の値よりも大きい第２の値に設定されるので、負荷装置が起動した後に蓄電手段が満充電となる期間を確実に確保することができる。その結果、負荷装置の起動時にラッシュ電流が発生する場合であっても外部から供給される電力を浪費することのない電力供給装置を提供することができる。
【０００９】
この発明の他の局面によれば、電力供給方法は、電力を蓄電する蓄電手段と、外部から供給される電力を受け付ける電力受付端子と、負荷装置の電力入力と端子と接続される出力端子と、電力受付端子に接続され、受け付けられた電力を蓄電手段に充電する充電手段と、を備えた電力供給装置で実行される電力供給方法であって、充電手段により充電される蓄電手段の出力電圧が所定の電圧になると、電力受付端子と出力端子とを電気的に接続するステップと、充電手段により充電される蓄電手段の出力電圧が所定の電圧となってからの時間を計時するステップと、計時された時間が所定の期間になるまでは、外部から供給される電力の電圧が第１のしきい値以下の場合、蓄電手段を電力受付端子と電気的に接続するステップと、計時された時間が所定の期間になった後は、外部から供給される電力の電圧が第１のしきい値より大きい第２しきい値以下の場合、蓄電手段を電力受付端子と電気的に接続するステップと、を含む。
【００１０】
この局面に従えば、負荷装置の起動時にラッシュ電流が発生する場合であっても外部から供給される電力を浪費することのない電力供給方法を提供することができる。
【発明を実施するための最良の形態】
【００１１】
以下、図面を参照しつつ、本発明の実施の形態について説明する。以下の説明では、同一の部材には同一の符号を付してある。それらの名称および機能も同じである。しがたってそれらについての詳細な説明は繰り返さない。
【００１２】
図１は、本発明の実施の形態の１つにおける監視システムの一例を示すブロック図である。図１を参照して、監視システム１は、それぞれがＬＡＮ（Ｌｏｃａｌ  Ａｒｅａ  Ｎｅｔｗｏｒｋ）９に接続された監視カメラ３、３Ａ〜３Ｄを含む。監視カメラ３、３Ａ〜３Ｄそれぞれは、ＰＯＥ技術によりＬＡＮ９から電力が供給され、駆動する。
【００１３】
監視カメラ３、３Ａ〜３Ｄは、電力供給装置５，５Ａ〜５Ｄを介してハードディスクユニット７，７Ａ〜７ＤとＵＳＢ（Ｕｎｉｖｅｒｓａｌ  Ｓｅｒｉａｌ  Ｂｕｓ）（登録商標）規格等のシリアル通信ケーブルでそれぞれ接続される。具体的には、監視カメラ３、３Ａ〜３Ｄは、電力供給装置５，５Ａ〜５Ｄとシリアル通信ケーブルでそれぞれ接続され、電力供給装置５，５Ａ〜５Ｄはハードディスクユニット７，７Ａ〜７Ｄとシリアル通信ケーブルでそれぞれ接続される。
【００１４】
ハードディスクユニット７，７Ａ〜７Ｄそれぞれは、大容量記憶装置であり、監視カメラ３、３Ａ〜３Ｄよりシリアル通信ケーブルを介して電力が供給され、駆動する。さらに、ハードディスクユニット７，７Ａ〜７Ｄそれぞれは、監視カメラ３、３Ａ〜３Ｄより制御される。例えば、監視カメラ３、３Ａ〜３Ｄは、撮像して得られた画像を、ハードディスクユニット７，７Ａ〜７Ｄに記憶させる。
【００１５】
なお、ここでは監視カメラ３、３Ａ〜３ＤをＬＡＮ９に接続する例を示すが、ＰＯＥ技術により電力の供給が可能なネットワークであれば、ＷＡＮ（Ｗｉｄｅ  Ａｒｅａ  Ｎｅｔｗｏｒｋ）等であってもよい。
【００１６】
監視カメラ３，３Ａ〜３Ｄ、電力供給装置５，５Ａ〜５Ｄおよびハードディスクユニット７，７Ａ〜７Ｄそれぞれは、構成および機能が同じなので、以下の説明では、特に言及しない限り、監視カメラ３、電力供給装置５およびハードディスクユニット７について説明する。
【００１７】
図２は、電力供給装置の回路構成の一例を示すブロック図である。図２を参照して、電力供給装置５は、監視カメラ３とシリアル通信ケーブルで接続される入力端子１１と、ハードディスクユニット７とシリアル通信ケーブルで接続される出力端子１３と、入力端子に接続された充電回路１５と、二次電池１７と、第１切換回路２１と、モノマルチ回路（ＭＭ）２３と、第２切換回路２５と、ダイオード１９と、スイッチＳＷ１，ＳＷ２と、を含む。
【００１８】
入力端子１１および出力端子１３それぞれは、Ｄ＋ピン、Ｄ−ピン、ＧＮＤピンおよびＶＢＵＳピンを含む。入力端子１１のＤ＋ピン、Ｄ−ピン、ＧＮＤピンは、出力端子のＤ＋ピン、Ｄ−ピン、ＧＮＤピンとそれぞれ接続される。入力端子１１のＶＢＵＳピンは、スイッチＳＷ１を介して出力端子１３のＶＢＵＳピンと接続される。入力端子１１のＶＢＵＳピンには、監視カメラ３から５Ｖの電圧が印加される電力受付端子である。出力端子１３のＶＢＵＳピンは、負荷装置であるハードディスクユニット７の電力入力端子と接続される。
【００１９】
充電回路１５は、入力側が入力端子１１のＶＢＵＳピンと接続され、出力側がダイオード１９を介して二次電池１７と接続される。充電回路１５は、昇圧回路を含み、入力端子１１のＶＢＵＳピンから印加される５Ｖの電圧を、７Ｖに昇圧し、二次電池１７に印加する。これにより、二次電池１７に電荷が蓄積される。二次電池１７は、電気二重層コンデンサである。なお、二次電池１７は、電解コンデンサ等の他のコンデンサであってもよいし、リチウムイオン電池、ニッカド電池、ニッケル水素電池等であってもよい。
【００２０】
第１切換回路２１は、二次電池１７と接続され、二次電池１７の出力電圧を、予め定められたしきい値、ここでは６．３Ｖと比較し、二次電池１７の出力電圧がしきい値（６．３Ｖ）を超えたときにハイ（ＨＩ）の信号を、二次電池１７の出力電圧がしきい値（６．３Ｖ）より低ければロー（ＬＯ）の信号を、スイッチＳＷ１およびモノマルチ回路２３に出力する。ここでは、第１切換回路２１を、抵抗Ｒ４、Ｒ５と、比較器ＣＭ１と、で構成する。比較器ＣＭ１の第１入力端子には、二次電池の出力電圧を抵抗Ｒ４、Ｒ５により分圧した電圧が入力され、第２入力端子には、予め定められた電圧Ｒｅｆが入力される。予め定められた電圧Ｒｅｆは、例えば２．６Ｖである。したがって、二次電池１７の出力電圧と比較するための予め定められたしきい値（６．３Ｖ）は、抵抗Ｒ４，Ｒ５および予め定められた電圧Ｒｅｆにより定まる。
【００２１】
スイッチＳＷ１は、第１切換回路２１がＬＯの信号を出力しているときに回路を開き、第１切換回路２１がＨＩの信号を出力しているときに回路を閉じる。電力供給装置５が監視カメラ３と接続される時点で、スイッチＳＷ１は回路を開いているので、充電回路１５が二次電池１７の充電を開始し、二次電池１７の出力電圧が時間の経過とともに上昇する。第１切換回路２１は、二次電池１７の出力電圧が６．３ＶになるとＨＩの信号を出力するので、スイッチＳＷ１が回路を閉じ、ハードディスクユニット７に、入力端子の１１ＶＢＵＳピンから電力が供給される。
【００２２】
モノマルチ回路２３は、タイマーを含み、第１切換回路２１の出力がＬＯの信号からＨＩの信号に変化すると、ＨＩの信号に変化してから所定時間を計時する。モノマルチ回路２３は、第１切換回路２１の出力がＬＯの信号からＨＩの信号に変化してからタイマーにより所定時間が計時されるまでの間、ＨＩの信号を第２切換回路２５に出力し、それ以外の間はＬＯの信号を第２切換回路２５に出力する。
【００２３】
第２切換回路２５は、入力端子１１のＶＢＵＳピンと接続され、ＶＢＵＳピンに印加される電圧、換言すれば、監視カメラ３から印加される電圧を、しきい値と比較し、ＶＢＵＳピンに印加される電圧がしきい値以下ならばハイ（ＨＩ）の信号を、ＶＢＵＳピンに印加される電圧がしきい値より高ければロー（ＬＯ）の信号を、スイッチＳＷ２に出力する。第２切換回路２５は、モノマルチ回路２３から入力される信号に基づいて、しきい値を変更する。モノマルチ回路２３からＨＩの信号が入力されているときの第１のしきい値は、モノマルチ回路２３からＬＯの信号が入力されているときの第２のしきい値よりも低い。
【００２４】
ここでは、第２切換回路２５は、直列接続された抵抗Ｒ１，Ｒ２と、抵抗Ｒ２に並列接続された抵抗Ｒ３およびスイッチＳＷ３と、比較器ＣＭ２と、で構成する。スイッチＳＷ３は、モノマルチ回路２３からＬＯの信号が入力されているときに回路を開き、モノマルチ回路２３からＨＩの信号が入力されているときに回路を閉じる。比較器ＣＭ２の第１入力端子には、モノマルチ回路２３からＬＯの信号が入力されているときに入力端子１１のＶＢＵＳピンの電圧を抵抗Ｒ１および抵抗Ｒ２により分圧した電圧が入力され、モノマルチ回路２３からＨＩの信号が入力されているときに入力端子１１のＶＢＵＳピンの電圧を抵抗Ｒ１、抵抗Ｒ２およびそれに並列接続された抵抗Ｒ３により分圧した電圧が入力される。比較器ＣＭ２の第２入力端子には、予め定められた電圧Ｒｅｆが入力される。予め定められた電圧Ｒｅｆは、例えば２．６Ｖである。したがって、第１のしきい値は、抵抗Ｒ１，Ｒ２，Ｒ３および予め定められた電圧Ｒｅｆにより定まり、第２のしきい値は、抵抗Ｒ１，Ｒ２および予め定められた電圧Ｒｅｆにより定まる。
【００２５】
スイッチＳＷ２は、一端が二次電池１７に接続され、他端が入力端子１１のＶＢＵＳピンに接続され、第２切換回路２５がＬＯの信号を出力しているときに回路を開き、第２切換回路２５がＨＩの信号を出力しているときに回路を閉じる。スイッチＳＷ１およびスイッチＳＷ２が回路を閉じている間、二次電池１７の出力電圧と、入力端子１１のＶＢＵＳピンの電圧、換言すれば、監視カメラ３から印加される電圧のいずれか高い方の電圧が出力端子１３のＶＢＵＳピンに印加される。
【００２６】
次に、電力供給装置５の動作について説明する。図３（Ａ）は、電力供給装置に入力される電流の時間的な変化を示す図である。図３（Ｂ）は、二次電池１７の電圧の時間的な変化を示す図である。図３（Ｃ）は、電力供給装置の出力電圧の時間的な変化を示す図である。図３（Ｄ）は、モノマルチ回路の出力の時間的な変化を示す図である。図４は、スイッチＳＷ１〜ＳＷ３の状態およびモノマルチ回路２３の出力の時間的な変化を示す図である。図３（Ａ）〜図３（Ｄ）および図４を参照して、電力供給装置５が監視カメラ３と接続されていない場合、スイッチＳＷ１，ＳＷ２，ＳＷ３は回路を開く状態（開）であり、モノマルチ回路２３の出力はＬＯである。電力供給装置５が監視カメラ３と接続されていない状態から監視カメラ３と接続されると、入力端子１１のＶＢＵＳピンに５Ｖの電圧が印加され、充電回路１５により二次電池１７が充電される。これにより、図３（Ｂ）に示すように二次電池１７の出力電圧が時間の経過とともに上昇する。そして、期間Ｔ１が経過し、二次電池１７の出力電圧が予め定めた電圧６．３Ｖになると、第１切換回路２１の出力がＨＩとなり、モノマルチ回路２３の出力が所定の期間、ＨＩとなる。所定の期間は、ここでは期間Ｔ２と期間Ｔ３との和としている。このため、スイッチＳＷ１およびスイッチＳＷ３が回路を閉じた状態（閉）となる。スイッチＳＷ１が回路を閉じるので、電力供給装置５にハードディスクユニット７が接続されていると、出力端子１３のＶＢＵＳピンの電圧、換言すれば、電力供給装置５の出力電圧が、５Ｖになる（図３（Ｃ））。これにより、ハードディスクユニット７が起動し、出力端子１３のＶＢＵＳピンにラッシュ電流が流れ、入力端子１１のＶＢＵＳピンの電圧が降下する。
【００２７】
図３（Ａ）において、期間Ｔ２に点線で示す電流は、スイッチＳＷ２が回路を開いた状態における電流を示している。入力端子１１のＶＢＵＳピンに図３（Ａ）に点線で示すラッシュ電流が流れると、ＬＡＮ９に流れる電流が増大するので好ましくない。
【００２８】
そこで、本実施の形態における電力供給装置５は、所定の時間（期間Ｔ２＋期間Ｔ３）の間、スイッチＳＷ３が回路を閉じるようにしている。これにより、比較器ＣＭ２のしきい値が高くなり、入力端子１１のＶＢＵＳピンの電圧が少しでも降下すれば比較器ＣＭ２がＨＩの信号を出力する。すると、スイッチＳＷ２が回路を閉じた状態になるので、二次電池１７が放電し、二次電池１７から出力端子１３のＶＢＵＳピンに電流が流れる。二次電池１７から流れる電流により出力端子１３のＶＢＵＳピンに流れるラッシュ電流が補われる。なお、期間Ｔ３は、期間Ｔ２を確保するために設けられる。期間Ｔ３は、短い期間であることが好ましいが、例えば、二次電池１７が満充電となるまでの期間、図では期間Ｔ３＋期間Ｔ４としてもよい。
【００２９】
したがって、二次電池１７の蓄電能力は、ハードディスクユニット７が起動する時に流れるラッシュ電流を補うのに必要なだけの電荷とすればよく、モノマルチ回路２３の出力がＨＩとなる所定の期間は、ラッシュ電流が流れる期間以上の期間である。
【００３０】
スイッチＳＷ１およびＳＷ２が回路を閉じた状態において、二次電池１７が放電するが、ハードディスクユニット７にラッシュ電流が流れなくなると、入力端子１１のＶＢＵＳピンの電圧が上昇するので比較器ＣＭ２がＬＯの信号を出力する。これにより、スイッチＳＷ２が回路を開く。そして、期間Ｔ３および期間Ｔ４においては、入力端子１１のＶＢＵＳピンから出力端子１３のＶＢＵＳピンに電流が流れるとともに、充電回路１５により二次電池１７が充電される。
【００３１】
期間Ｔ２においては、入力端子１１のＶＢＵＳから出力端子１３のＶＢＵＳピンに電流は流れるが、二次電池１７からも電流が流れるので、図３（Ａ）に点線で示すような電流が流れることはない。したがって、モノマルチ回路２３がＨＩの信号を出力する所定の期間は、少なくとも期間Ｔ２であればよい。
【００３２】
そして、期間Ｔ３が経過すると、モノマルチ回路２３の出力がＬＯとなり、スイッチＳＷ３が回路を開いた状態になる。さらに、期間Ｔ４が経過すると、二次電池１７が満充電となり、充電回路１５に電流が流れなくなるので、その後の期間Ｔ５においては、入力端子１１のＶＢＵＳピンの電流が低下する。
【００３３】
二次電池１７の出力電圧が所定の電圧（６．３Ｖ）となってから所定の期間が計時されるまでは、入力端子１１のＶＢＵＳピンに監視カメラ３から入力される電力と二次電池１７に蓄積された電力とを出力端子１３のＶＢＵＳピンからハードディスクユニット７に供給し、二次電池１７の出力電圧が所定の電圧（６．３Ｖ）となってから所定の期間が計時された後は入力端子１１のＶＢＵＳピンに監視カメラ３から入力される電力を出力端子１３のＶＢＵＳピンからハードディスクユニット７に供給する。このため、ハードディスクユニット７が起動する際にラッシュ電流が発生する場合に、二次電池１７から電力が供給されるので、監視カメラ３を介してＬＡＮにラッシュ電流が流れるのを防止することができる。
【００３４】
以上説明したように、本実施の形態における電力供給装置５は、二次電池１７の出力電圧が所定の電圧（６．３Ｖ）になると、第１切換回路２１がスイッチＳＷ１を閉じることにより入力端子１１のＶＢＵＳピンと出力端子１３のＶＢＵＳピンと接続する。このため、監視カメラ３から入力される電力が負荷装置であるハードディスクユニット７に供給される。また、監視カメラ３から入力される電力の電圧がしきい値以下の場合、第２切換回路２５によりＳＷ２が閉じられ、二次電池１７が入力端子１１のＶＢＵＳピンと電気的に接続されるので、二次電池１７からハードディスクユニット７に電力が供給される。このため、監視カメラ３から電力が供給されなくなったとしても、ハードディスクユニット７に電力を供給することができる。
【００３５】
また、二次電池１７の出力電圧が所定の電圧となってから所定の期間（Ｔ２＋Ｔ３）が計時されるまでは、監視カメラ３から入力される電力の電圧と比較するためのしきい値が第１の値に設定されるので、ハードディスクユニット７が起動する際にラッシュ電流が流れている間に限って、二次電池１７から電力が供給されるようにすることができる。このため、ハードディスクユニット７が起動する際に監視カメラ３から入力される電力の電圧が少なくともしきい値よりも下がらないようにすることができ、監視カメラ３から入力される電力を浪費することがない。その結果、ＬＡＮ９に接続された他の監視カメラ３Ａ〜３Ｄに電力が供給されなくなるのを防止することができる。さらに、所定の期間が計時された後は、監視カメラ３から入力される電力の電圧と比較するためのしきい値が第１の値よりも大きい第２の値に設定されるので、ハードディスクユニット７が起動した後に二次電池１７が満充電となる期間を確実に確保することができる。
【００３６】
なお、ここでは、負荷装置の一例としてハードディスクユニット７を例に説明したが、監視カメラ３に接続可能な周辺装置であれば、これに限定されることはない。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】本発明の実施の形態の１つにおける監視システムの一例を示すブロック図である。
【図２】電力供給装置の回路構成の一例を示すブロック図である。
【図３】電力供給装置の動作を説明するための図である。
【図４】スイッチＳＷ１〜ＳＷ３の状態およびモノマルチ回路２３の出力の時間的な変化を示す図である。
【符号の説明】
【００３９】
１  監視システム、３，３Ａ〜３Ｄ  監視カメラ、５，５Ａ〜５Ｄ  電力供給装置、７，７Ａ〜７Ｄ  ハードディスクユニット、１１  入力端子、１３  出力端子、１５  充電回路、１７  二次電池、１９  ダイオード、２１  切換回路、２３  モノマルチ回路、２５  切換回路、ＣＭ１，ＣＭ２  比較器、Ｒ１，Ｒ２，Ｒ３，Ｒ４，Ｒ５  抵抗、ＳＷ１，ＳＷ２，ＳＷ３  スイッチ。
【図１】
2010068698.tif 000003
【図２】
2010068698.tif 000004
【図３】
2010068698.tif 000005
【図４】
2010068698.tif 000006